(57)【要約】【課題】消費電流や回路面積を低減する。【解決手段】液晶ドライバ１００は、液晶パネルの複数のデータ線ＬＤを反転駆動する。ソースドライバ１０は、画素の輝度を示す輝度データに応じた駆動電圧Ｖｄを生成し、対応するデータ線に供給する。コモン電極ドライバ４０は、液晶パネルのコモン電極に交流のコモン電圧Ｖｃｏｍを供給する。基準電圧生成回路３０は、電源端子３２と接地端子３４の間に直列に接続された複数の抵抗を含み、隣接する抵抗の接続点に設けられた複数のタップに生ずる複数の基準電圧を生成する。ソースドライバ１０は、複数の基準電圧の中から選択されたいずれかを利用して駆動電圧Ｖｄを生成する。コモン電極ドライバ４０は、複数の基準電圧の中から選択されたいずれかを利用してコモン電圧Ｖｃｏｍを生成する。【選択図】図２
2009162935.tif 000002
【特許請求の範囲】
【請求項１】
液晶パネルの複数のデータ線を反転駆動する液晶ドライバ回路であって、
画素の輝度を示す輝度データに応じた駆動電圧を生成し、対応するデータ線に供給するソースドライバ回路と、
前記液晶パネルのコモン電極に交流のコモン電圧を供給するコモン電極ドライバと、
２つの固定電圧端子間に直列に接続された複数の抵抗を含み、隣接する前記抵抗の接続点に設けられた複数のタップに生ずる複数の基準電圧を生成する基準電圧生成回路と、
を備え、
前記ソースドライバ回路は、前記複数の基準電圧の中から選択されたいずれかを利用して前記駆動電圧を生成し、
前記コモン電極ドライバは、前記複数の基準電圧の中から選択されたいずれかを利用して前記コモン電圧を生成することを特徴とする液晶ドライバ回路。
【請求項２】
前記コモン電極ドライバは、
前記複数の基準電圧の中から選択された電圧を利用して前記コモン電圧のセンターレベル電圧を生成するセンターレベル生成回路と、
前記複数の基準電圧の中から選択された電圧を利用して、反転駆動と同期して２値をスイングするスイッチング電圧を生成し、前記センターレベル電圧と重畳する振幅生成回路と、
を含むことを特徴とする請求項１に記載の液晶ドライバ回路。
【請求項３】
前記コモン電極ドライバは、反転駆動と同期してハイレベルとローレベルを出力するドライバを含み、当該ドライバの高電位側の電源端子および低電圧側の電源端子には、前記複数の基準電圧の中から選択された電圧が供給されることを特徴とする請求項１に記載の液晶ドライバ回路。
【請求項４】
前記複数の基準電圧のいずれかを所定のしきい値電圧と比較するコンパレータをさらに備え、比較結果を回路の正常動作を示す信号として出力することを特徴とする請求項１に記載の液晶ドライバ回路。
【請求項５】
前記ソースドライバ回路は、
前記複数の基準電圧を利用して多階調の電圧を生成する階調電圧生成回路と、
前記複数のデータ線ごとに設けられ、前記輝度データに応じた前記多階調の電圧を選択して出力する複数のデジタルアナログ変換器と、
前記複数のデータ線ごとに設けられ、対応するアナログデジタル変換器の出力電圧を対応するデータ線に駆動電圧として供給する複数のソースアンプと、
を含むことを特徴とする請求項１から４のいずれかに記載の液晶ドライバ回路。
【請求項６】
前記階調電圧生成回路は、
複数のバッファアンプと、
隣接する２つのバッファアンプごとに設けられ、２つのバッファアンプの出力端子の間に直列に設けられた複数のサブ抵抗と、隣接する前記抵抗の接続点に設けられた複数のタップを有する複数の分圧回路と、
前記複数のバッファアンプごとに設けられた複数のセレクタと、
を含み、
前記バッファアンプの出力電圧および前記複数の分圧回路に設けられた複数のタップの電圧を、前記多階調の電圧として出力し、
前記複数のセレクタにはそれぞれ、前記液晶パネルを正極性で駆動する際に選択される複数の前記基準電圧と、前記液晶パネルを負極性で駆動する際に選択される複数の前記基準電圧と、が入力されており、各セレクタは、いずれかの基準電圧を選択して対応するバッファアンプに出力することを特徴とする請求項５に記載の液晶ドライバ回路。
【発明の詳細な説明】
【技術分野】
【０００１】
本発明は、液晶パネルの駆動技術に関し、特にデータ線を駆動する液晶ドライバ回路に関する。
【背景技術】
【０００２】
液晶パネルは、複数のデータ線と、データ線と直交するように配置される複数の走査線と、データ線および走査線の交点にマトリクス状に配置された複数のＴＦＴ（Thin Film Transistor）を備える。液晶パネルを駆動するために、複数の走査線を順に選択するゲートドライバ回路と、各データ線に輝度に応じた電圧を印加するソースドライバ回路が設けられる。
【０００３】
データ線に直流電圧を連続的に印加すると液晶パネルが劣化するという問題がある。この問題を解決するために、近年では各データ線に対して極性が異なる電圧を交流的に交互に印加する方式（反転駆動方式）が主流となっている。
【０００４】
反転駆動方式においては、データ線に第１極性の駆動電圧を印加するとき、液晶パネルのコモン電極には第１極性のコモン電圧が印加され、データ線に第２極性の駆動電圧を印加するとき、コモン電極には第２極性のコモン電圧が印加される。
【特許文献１】特開平８−３２０６７４号公報
【特許文献２】特開２００７−２８６５２６号公報
【発明の開示】
【発明が解決しようとする課題】
【０００５】
ある階調に対応する駆動電圧は、駆動対象の液晶パネルのガンマ特性に応じて調節する必要がある。コモン電圧のレベルも同様に、駆動対象の液晶パネルに応じて調節する必要がある。従来の液晶ドライバには、駆動電圧をガンマ特性に応じて調節するための回路と、コモン電圧を調節するための回路が設けられており、消費電流や回路面積が大きくなるという問題があった。
【０００６】
本発明はかかる課題に鑑みてなされたものであり、その目的は消費電流や回路面積を低減可能な液晶ドライバ回路の提供にある。
【課題を解決するための手段】
【０００７】
上記課題を解決するために、本発明のある態様の液晶ドライバ回路は、液晶パネルの複数のデータ線を反転駆動する液晶ドライバ回路であって、画素の輝度を示す輝度データに応じた駆動電圧を生成し、対応するデータ線に供給するソースドライバ回路と、液晶パネルのコモン電極に交流のコモン電圧を供給するコモン電極ドライバと、２つの固定電圧端子間に直列に接続された複数の抵抗を含み、隣接する抵抗の接続点に設けられた複数のタップに生ずる複数の基準電圧を生成する基準電圧生成回路と、を備える。ソースドライバ回路は、複数の基準電圧の中から選択されたいずれかを利用して駆動電圧を生成し、コモン電極ドライバは、複数の基準電圧の中から選択されたいずれかを利用してコモン電圧を生成する。
【０００８】
この態様によると、駆動電圧の調節とコモン電圧の調節を、共通の基準電圧生成回路を用いて行うため、回路面積や消費電流を削減することができる。
【０００９】
コモン電極ドライバは、複数の基準電圧の中から選択された電圧を利用してコモン電圧のセンターレベル電圧を生成するセンターレベル生成回路と、複数の基準電圧の中から選択された電圧を利用して、反転駆動と同期して２値をスイングするスイッチング電圧を生成し、センターレベル電圧と重畳する振幅生成回路と、を含んでもよい。
【００１０】
コモン電極ドライバは、反転駆動と同期してハイレベルとローレベルを出力するドライバを含み、当該ドライバの高電位側の電源端子および低電圧側の電源端子には、複数の基準電圧の中から選択された電圧が供給されてもよい。
【００１１】
ある態様の液晶ドライバ回路は、複数の基準電圧のいずれかを所定のしきい値電圧と比較するコンパレータをさらに備え、比較結果を回路の正常動作を示す信号として出力してもよい。この場合、基準電圧が正常に生成されているかを基準電圧生成回路を利用して判定できるため、回路面積をさらに削減できる。
【００１２】
ソースドライバ回路は、複数の基準電圧を利用して多階調の電圧を生成する階調電圧生成回路と、複数のデータ線ごとに設けられ、輝度データに応じた多階調の電圧を選択して出力する複数のデジタルアナログ変換器と、複数のデータ線ごとに設けられ、対応するアナログデジタル変換器の出力電圧を対応するデータ線に駆動電圧として供給する複数のソースアンプと、を含んでもよい。
【００１３】
階調電圧生成回路は、複数のバッファアンプと、隣接する２つのバッファアンプごとに設けられ、２つのバッファアンプの出力端子の間に直列に設けられた複数のサブ抵抗と、隣接する抵抗の接続点に設けられた複数のタップを有する複数の分圧回路と、複数のバッファアンプごとに設けられた複数のセレクタと、を含んでもよい。バッファアンプの出力電圧および複数の分圧回路に設けられた複数のタップの電圧を、多階調の電圧として出力し、複数のセレクタにはそれぞれ、液晶パネルを正極性で駆動する際に選択される複数の基準電圧と、液晶パネルを負極性で駆動する際に選択される複数の基準電圧と、が入力されており、各セレクタは、いずれかの基準電圧を選択して対応するバッファアンプに出力してもよい。
この場合、液晶パネルのガンマ特性に応じて多階調電圧を、基準電圧生成回路の固定電圧や抵抗値を調節せずにセレクタによって調節できる。つまりコモン電圧に影響を与えずに多階調電圧を調節できるため、基準電圧生成回路を好適に共有することができる。
【００１４】
なお、以上の構成要素の任意の組み合わせや本発明の構成要素や表現を、方法、装置、システムなどの間で相互に置換したものもまた、本発明の態様として有効である。
【発明の効果】
【００１５】
本発明によれば、液晶ドライバ回路の消費電流や回路面積を低減できる。
【発明を実施するための最良の形態】
【００１６】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００１７】
本明細書において、「部材Ａが部材Ｂに接続された状態」とは、部材Ａと部材Ｂが物理的に直接的に接続される場合や、部材Ａと部材Ｂが、電気的な接続状態に影響を及ぼさない他の部材を介して間接的に接続される場合も含む。同様に、「部材Ｃが、部材Ａと部材Ｂの間に設けられた状態」とは、部材Ａと部材Ｃ、あるいは部材Ｂと部材Ｃが直接的に接続される場合のほか、電気的な接続状態に影響を及ぼさない他の部材を介して間接的に接続される場合も含む。
【００１８】
図１は、実施の形態に係る液晶ドライバ回路（以下、液晶ドライバという）１００を備えた液晶ディスプレイ２００の構成を示す回路図である。液晶ディスプレイ２００は、液晶ドライバ１００、ゲートドライバ１１０、液晶パネル１２０、タイミングコントローラ１３０を備える。
【００１９】
液晶パネル１２０は、複数のデータ線と、複数の走査線を備え、データ線と走査線の交点にはマトリクス状に配置された画素回路が設けられる。ゲートドライバ１１０は、タイミングコントローラ１３０からのデータを受け、複数の走査線に順に電圧を与え、選択していく。液晶ドライバ１００は、タイミングコントローラ１３０から出力される各画素の輝度を示す輝度データＤＬを、輝度データＤＬと同期したクロックＣＫとともに受信し、液晶パネル１２０の複数のデータ線を駆動する。
【００２０】
液晶ドライバ１００＿１〜１００＿ｍは、液晶パネル１２０の一辺に沿って配置される。液晶ドライバ１００の個数ｍは液晶パネル１２０の解像度に応じて決定される。液晶ドライバ１００は、一つの半導体基板上に一体集積化された機能ＩＣである。液晶ドライバ１００の複数の出力端子はそれぞれ、データ線と接続される。また、液晶ドライバ１００のデータ入力端子には、タイミングコントローラ１３０から画素ごとの輝度データが入力される。
【００２１】
図２は、実施の形態に係る液晶ドライバ１００の構成を示すブロック図である。液晶ドライバ１００は、液晶パネル１２０の複数のデータ線を反転駆動する。液晶ドライバ１００は、ソースドライバ１０、コモン電極ドライバ４０、基準電圧生成回路３０、レギュレータ６０、コンパレータ５０、ロジック回路５２を備え、一つの半導体基板上に集積化された機能ＩＣである。
【００２２】
ソースドライバ１０は、画素の輝度を示す輝度データに応じた駆動電圧Ｖｄを生成し、対応するデータ線ＬＤに供給する。
コモン電極ドライバ４０は、液晶パネル１２０のコモン電極に交流のコモン電圧Ｖｃｏｍを供給する。コモン電圧Ｖｃｏｍは反転駆動と同期して、２つの値ＶｃｏｍＨ、ＶｃｏｍＬを交互にスイングする。
【００２３】
レギュレータ６０は電源端子３２を基準電圧Ｖｄｄに安定化させる。図２のレギュレータ６０は、演算増幅器６２、第１基準抵抗Ｒｒｅｆ１、第２基準抵抗Ｒｒｅｆ２を含むリニアレギュレータ（３端子レギュレータ）である。演算増幅器６は、図示しないチャージポンプ回路やスイッチングレギュレータなどの昇圧回路から昇圧された電源電圧Ｖｃｐを受ける。演算増幅器６２の非反転入力端子には図示しないバンドギャップレギュレータにより生成される基準電圧Ｖｒｅｆが入力される。
レギュレータ６０は電源端子３２の電位を、
Ｖｄｄ＝Ｖｒｅｆ×（１＋Ｒｒｅｆ２＋Ｒｆｅｆ１）
に安定化させる。
【００２４】
基準電圧生成回路３０は２つの固定電圧端子（電源端子３２、接地端子３４）の間に直列に接続された複数の抵抗を含むラダー抵抗網である。基準電圧生成回路３０の内部の隣接する抵抗の接続点には、複数のタップが設けられており、各タップに生ずる電圧が基準電圧として出力される。
【００２５】
たとえばＶｄｄ＝４．５Ｖ、Ｖｓｓ＝０Ｖで、基準電圧生成回路３０に抵抗値の等しい抵抗が１００本設けられる場合、０Ｖから４．５Ｖの範囲で、１０ｍＶ刻みの基準電圧Ｖｒｅｆ１〜Ｖｒｅｆ４４９が出力される。複数の基準電圧Ｖｒｅｆ１〜Ｖｒｅｆ４４９のうち任意のいくつかが、ソースドライバ１０、コモン電極ドライバ４０、コンパレータ５０へとそれぞれ出力される。
【００２６】
ソースドライバ１０には、複数の基準電圧Ｖｒｅｆ１〜Ｖｒｅｆ４４９の中から、選択されたいくつか（以下、第１基準電圧群ＶｒｅｆＡという）を利用して駆動電圧Ｖｄを生成する。
【００２７】
コモン電極ドライバ４０は、複数の基準電圧Ｖｒｅｆ１〜Ｖｒｅｆ４４９の中から、選択されたいくつか（以下、第２基準電圧群ＶｒｅｆＢという）を利用してコモン電圧Ｖｃｏｍを生成する。
【００２８】
コンパレータ５０は、複数の基準電圧Ｖｒｅｆ１〜Ｖｒｅｆ４４９のいずれか（以下、第３基準電圧ＶｒｅｆＣという）を、所定のしきい値電圧Ｖｔｈ１と比較する。比較結果に応じた比較信号Ｓ１は、電圧Ｖｄｄが正常に生成されているか、言い換えれば図示しないチャージポンプ回路およびレギュレータ６０が正常に動作しているかを示す信号として出力される。比較信号Ｓ１は液晶ドライバ１００全体を制御するロジック回路５２へと入力されて液晶ドライバ１００のステートの制御に利用され、あるいは液晶ドライバ１００外部に設けられるその他のプロセッサに出力される。
【００２９】
以上が液晶ドライバ１００の全体構成である。この構成によればソースドライバ１０に与える第１基準電圧群ＶｒｅｆＡを適切に設定することにより、データ線に与えるべき駆動電圧Ｖｄを、液晶パネル１２０のガンマ特性をはじめとする種々の特性に応じて調節することができる。また、コモン電極ドライバ４０に与える第２基準電圧群ＶｒｅｆＢを適切に設定することにより液晶パネル１２０の特性に応じてコモン電圧Ｖｃｏｍの振幅、センター値を調節することができる。
【００３０】
つまり、実施の形態に係る液晶ドライバ１００によれば、駆動電圧Ｖｄの調節とコモン電圧Ｖｃｏｍの調節を、共通の基準電圧生成回路３０を用いて行うことができる。その結果、ソースドライバ１０およびコモン電極ドライバ４０に個別に基準電圧生成回路を設けた場合に比べて、回路面積や消費電流を削減することができる。
【００３１】
ラダー抵抗網に含まれる各抵抗の抵抗値のばらつきを補償するために、トリミングが行われる。実施の形態に係る液晶ドライバ１００によれば、基準電圧生成回路３０が共通化されておりトリミング工程を１度行えばよいため、液晶ドライバ１００の製造コストを削減できる。
【００３２】
さらに、電源電圧Ｖｄｄがノイズなどの影響によって変動した場合、駆動電圧Ｖｄとコモン電圧Ｖｃｏｍが同じように変動することになるため、液晶パネル１２０内部のＴＦＴに印加される電圧は一定となり、表示品質を高めることができる。
【００３３】
昇圧電圧Ｖｃｐを生成する昇圧回路が正常に動作しているか判定するためには、昇圧電圧Ｖｃｐに応じた電圧（図２では電源電圧Ｖｄｄ）を分圧してしきい値電圧と比較する必要がある。図２の液晶ドライバ１００によれば、電源電圧Ｖｄｄの分圧に基準電圧生成回路３０を利用するため、分圧抵抗を別途設けた場合にくらべて回路面積を削減でき、またトリミングの工程も削減できる。
【００３４】
続いて、ソースドライバ１０およびコモン電極ドライバ４０によって基準電圧生成回路３０を共有化するための具体的な回路構成について説明する。
【００３５】
ソースドライバ１０は、階調電圧生成回路１２、複数のデジタルアナログ変換器ＤＡＣ、複数のソースアンプＡＭＰを備える。
階調電圧生成回路１２は、基準電圧生成回路３０からの複数の基準電圧を含む第１基準電圧群ＶｒｅｆＡを利用して、多階調の電圧（以下、階調電圧という）を生成する。液晶パネル１２０がｎビット（ｎは自然数）で駆動される場合、階調数は２ｎである。以下ではｎ＝８ビットの場合について説明し、階調電圧生成回路１２は階調電圧Ｖｇ０〜Ｖｇ６３を生成するものとする。
【００３６】
図３は、輝度データが示す階調（レベル）と、階調電圧Ｖｇの関係を示す図である。実線は第１の極性の場合の階調電圧を、破線は第２の極性の場合の階調電圧を示す。図３の曲線は液晶パネル１２０のガンマ特性に応じて設定される。つまり階調電圧生成回路１２は、図３の曲線に沿うように、複数の階調電圧Ｖｇ０〜Ｖｇ６３を生成する。ある輝度値に対応する階調電圧Ｖｇは、第１極性の場合と第２極性の場合で異なる値をとる。
【００３７】
図２に戻る。複数のデジタルアナログ変換器ＤＡＣおよび複数のソースアンプＡＭＰは、複数のデータ線ＬＤごとに設けられる。各デジタルアナログ変換器ＤＡＣには、階調電圧Ｖｇ０〜Ｖｇ６３が供給されている。各デジタルアナログ変換器ＤＡＣは、対応するデータ線上の画素の輝度を指示するデジタルの輝度データを受け、この輝度データに応じた階調電圧Ｖｇを選択して出力する。各ソースアンプＡＭＰは、対応するアナログデジタル変換器ＤＡＣの出力電圧Ｖｄを、対応するデータ線ＬＤに駆動電圧Ｖｄとして供給する。
【００３８】
図４は、図２の階調電圧生成回路１２および基準電圧生成回路３０の構成を示す回路図である。基準電圧生成回路３０は上述したように複数の抵抗Ｒ１〜Ｒ４５０を含むラダー抵抗網である。基準電圧生成回路３０は、隣接する２つの抵抗の接続点に設けられた複数のタップから、基準電圧Ｖｒｅｆ１〜Ｖｒｅｆ４４９を出力する。
【００３９】
階調電圧生成回路１２の構成を説明する前に、階調電圧生成回路１２による階調電圧Ｖｇ０〜Ｖｇ６３の生成方法について図３を参照して説明する。階調電圧生成回路１２は、代表的な複数の階調値（以下、代表階調値）を設定する。たとえば、全階調０〜６３のうち、０、１、８、２０、４３、５５、６２、６３の８つを代表階調値Ｘ０〜Ｘ７に設定する。そして、それぞれの代表階調値Ｘ０〜Ｘ７に対応する階調電圧Ｖｇを、複数の基準階調電圧Ｖｒ０〜Ｖｒ７として設定する。基準階調電圧Ｖｒ０〜Ｖｒ７は、基準電圧生成回路３０により生成される複数の基準電圧Ｖｒｅｆ０〜Ｖｒｅｆ６３の中から最も近いものが選択される。
代表階調値は、第１、第２の極性のそれぞれに対して共通に設定され、基準階調電圧Ｖｒ０〜Ｖｒ７は、極性ごとに個別に設定される。
【００４０】
代表階調値Ｘ０〜Ｘ７の中間の階調に対応する階調電圧Ｖｇは、基準階調電圧Ｖｒ０〜Ｖｒ７を補間することにより生成される。たとえば階調２〜７については、基準階調電圧Ｖｒ１と基準階調電圧Ｖｒ２を補間して生成される。このましくは線形補間が利用される。
【００４１】
この方法によれば、代表階調値を設定し、それらに対応する基準階調電圧を調節することにより、液晶パネル１２０の特性にあわせたガンマ曲線を実現できる。
【００４２】
図４に戻り、上述の階調電圧の生成方法を実現可能な階調電圧生成回路１２の構成を説明する。
【００４３】
階調電圧生成回路１２は、複数のバッファアンプＢＵＦ０〜ＢＵＦ７、複数の分圧回路ＤＩＶ１〜ＤＩＶ５、セレクタＳＥＬｐ０〜ＳＥＬｐ７、ＳＥＬｎ０〜ＳＥＬｎ７、ＳＥＬｐｏｌ０〜ＳＥＬｐｏｌ７を備える。
【００４４】
複数のバッファアンプＢＵＦ０〜ＢＵＦ７は、上述した代表階調値の個数に応じて設けられる。代表階調値が８つの場合、バッファアンプＢＵＦは８個設けられる。各バッファアンプＢＵＦ０〜ＢＵＦ７の出力電圧は、上述した基準階調電圧Ｖｒ０〜Ｖｒ７に設定される。
【００４５】
２つの隣接するバッファアンプごとに、複数の分圧回路ＤＩＶ１〜ＤＩＶ５が設けられる。分圧回路ＤＩＶ１〜ＤＩＶ５は、代表階調値の間の中間階調を補間するために設けられる。各分圧回路ＤＩＶ１〜ＤＩＶ５は、それぞれ複数のサブ抵抗Ｒｓを含んでいる。隣接する２つのサブ抵抗の接続点にはタップが設けられる。各タップには、分圧回路ＤＩＶの両端に印加される２つの基準階調電圧Ｖｒを分圧した電圧が現れ、各タップの電圧が階調電圧として出力される。
【００４６】
複数の正極セレクタＳＥＬｐ０〜ＳＥＬｐ７、負極セレクタＳＥＬｎ０〜ＳＥＬｎ７、極性セレクタＳＥＬｐｏｌ０〜ＳＥＬｐｏｌ７は、複数のバッファアンプＢＵＦ０〜ＢＵＦ７ごとに設けられる。
【００４７】
複数の正極セレクタＳＥＬｐ０〜ＳＥＬｐ７、負極セレクタＳＥＬｎ０〜ＳＥＬｎ７はそれぞれ、複数の入力端子を有する。図３の回路図では、４つの入力端子を有する４対１セレクタとして示される。正極セレクタＳＥＬｐ１〜ＳＥＬｐ７それぞれに設けられた複数の入力端子には、液晶パネル１２０を正極性（第１極性）で駆動する際に使用される複数の基準電圧が入力される。
【００４８】
具体的には、ｉ番目（ｉ＝０〜７）のバッファアンプＢＵＦｉに設けられた正極セレクタＳＥＬｐｉの複数の入力端子には、バッファアンプＢＵＦｉが出力すべき基準階調電圧Ｖｒｐｉの候補となる基準電圧が入力される。正極セレクタＳＥＬｐｉは、これらの基準電圧の中から適切な一つを選択して基準階調電圧Ｖｒｐｉとして出力する。
【００４９】
同様にｉ番目（ｉ＝０〜７）のバッファアンプＢＵＦｉに設けられた負極セレクタＳＥＬｎｉの複数の入力端子には、バッファアンプＢＵＦｉが出力すべき基準階調電圧Ｖｒｎｉの候補となる基準電圧が入力される。負極セレクタＳＥＬｎｉは、これらの基準電圧の中から適切な一つを選択して基準階調電圧Ｖｒｎｉとして出力する。
【００５０】
ｉ番目の極性セレクタＳＥＬｐｏｌｉは、反転駆動と同期して、対応する正極セレクタＳＥＬｐｉおよび負極セレクタＳＥＬｎｉの出力電圧のいずれか一方を選択し、後段のバッファアンプＢＵＦｉへと出力する。
【００５１】
以上が階調電圧生成回路１２の構成である。この構成によれば、上述の複数の階調電圧Ｖｇ０〜Ｖｇ６３を好適に生成することができる。また液晶パネル１２０の特性に応じて図３のカーブを変更しても、基準電圧生成回路３０により生成される基準電圧Ｖｒｅｆ０〜Ｖｒｅｆ４４９は変化させる必要がないため、階調電圧Ｖｇの補正がコモン電極ドライバ４０に影響を及ぼすのを防止できる。
【００５２】
続いてコモン電極ドライバ４０の構成を説明する。コモン電極ドライバ４０は、センターレベル生成回路４２、振幅生成回路４４を備える。
【００５３】
センターレベル生成回路４２は、基準電圧生成回路３０からの複数の基準電圧を含む第２基準電圧群ＶｒｅｆＢ１の中から選択された電圧Ｖｃを利用して、コモン電圧Ｖｃｏｍのセンターレベル電圧Ｖｃを生成する。センターレベル生成回路４２は、センターレベル設定用セレクタＳＥＬＣおよびバッファアンプ４３を含む。センターレベル設定用セレクタＳＥＬＣには複数の基準電圧を含む第２基準電圧群ＶｒｅｆＢ１が入力されている。センターレベル設定用セレクタＳＥＬＣは、第２基準電圧群ＶｒｅｆＢ１からひとつを選択し、後段のバッファアンプ４３へと出力する。バッファアンプ４３からはコモン電圧Ｖｃｏｍのセンター値に対応するセンターレベル電圧Ｖｃが出力される。
【００５４】
振幅生成回路４４は、基準電圧生成回路３０からの複数の基準電圧を含む第２基準電圧群ＶｒｅｆＢ２の中から選択された電圧Ｖａを利用して、反転駆動と同期して２値をスイングするスイッチング電圧Ｖｓｗを生成し、センターレベル電圧Ｖｃと重畳する。振幅生成回路４４は、振幅設定用セレクタＳＥＬＡ、バッファアンプ４６、ドライバ４８、カップリングキャパシタＣ１０を含む。
【００５５】
振幅設定用セレクタＳＥＬＡには複数の基準電圧を含む第２基準電圧群ＶｒｅｆＢ２が入力されている。振幅設定用セレクタＳＥＬＡは、第２基準電圧群ＶｒｅｆＢ２からひとつを選択し、後段のバッファアンプ４６へと出力する。振幅設定用セレクタＳＥＬＡにより選択された電圧は、バッファアンプ４６を介してドライバ４８の高電位側の電源端子に供給される。ドライバ４８の低電位側の電源端子は接地される。ドライバ４８の入力端子には、反転駆動と同期してハイレベルとローレベルが変化する極性信号Ｓｐｏｌが入力される。ドライバ４８からは、極性信号Ｓｐｏｌに応じてハイレベルとローレベルが変化するスイッチング電圧Ｖｓｗが出力される。スイッチング電圧Ｖｓｗは、接地電圧０Ｖと選択された電圧Ｖａをスイングする。つまり選択された電圧Ｖａに応じた振幅を有している。
【００５６】
スイッチング電圧ＶｓｗはカップリングキャパシタＣ１０を介してセンターレベル電圧Ｖｃと重畳される。その結果、センターレベル電圧Ｖｃｏｍは、センター値がＶｃ、全値振幅がＶａに設定される。
【００５７】
この構成によれば、センターレベル設定用セレクタＳＥＬＣおよび振幅設定用セレクタＳＥＬＡによって適切な基準電圧Ｖｒｅｆを選択することにより、コモン電圧Ｖｃｏｍを液晶パネル１２０に応じて適切に設定することができる。
【００５８】
上記実施の形態は例示であり、それらの各構成要素や各処理プロセスの組み合わせにいろいろな変形例が可能なこと、またそうした変形例も本発明の範囲にあることは当業者に理解されるところである。以下、こうした変形例を説明する。
【００５９】
図５は、変形例に係るコモン電極ドライバ４０ａの構成を示す回路図である。コモン電極ドライバ４０ａは、ドライバ４８ａ、バッファアンプ４３ａ、４６ａ、上側電源セレクタＳＥＬＨ、下側電源セレクタＳＥＬＬを備える。
【００６０】
ドライバ４８ａは、反転駆動と同期してハイレベルとローレベルを出力する。上側電源セレクタＳＥＬＨは、複数の基準電圧Ｖｒｅｆの中から選択したいずれかを出力し、バッファアンプ４６ａは上側電源セレクタＳＥＬＨにより選択された電圧を、ドライバ４８ａの高電位側の電源端子４９Ｈに供給する。また下側電源セレクタＳＥＬＬは、複数の基準電圧Ｖｒｅｆの中から選択したいずれかを出力し、バッファアンプ４３ａは下側電源セレクタＳＥＬＬにより選択された電圧を、ドライバ４８ａの低電位側の電源端子４９Ｌに供給する。
【００６１】
この構成によれば、コモン電圧Ｖｃｏｍのハイレベルとローレベルの電位を、独立に調節することができる。またカップリングキャパシタＣ１０が不要となり、部品点数を削減できる。
【００６２】
以上、実施の形態にもとづき、本発明を説明したが、実施の形態は、本発明の原理、応用を示しているにすぎないことはいうまでもなく、実施の形態には、請求の範囲に規定された本発明の思想を逸脱しない範囲において、多くの変形例や配置の変更が可能であることはいうまでもない。
【図面の簡単な説明】
【００６３】
【図１】実施の形態に係る液晶ドライバを備えた液晶ディスプレイの構成を示す回路図である。
【図２】実施の形態に係る液晶ドライバの構成を示すブロック図である。
【図３】輝度データが示す階調（レベル）と、階調電圧の関係を示す図である。
【図４】図２の階調電圧生成回路および基準電圧生成回路の構成を示す回路図である。
【図５】変形例に係るコモン電極ドライバの構成を示す回路図である。
【符号の説明】
【００６４】
１０…ソースドライバ、１２…階調電圧生成回路、ＢＵＦ…バッファアンプ、ＤＩＶ…分圧回路、ＳＥＬｐ…正極セレクタ、ＳＥＬｎ…負極セレクタ、ＳＥＬｐｏｌ…極性セレクタ、ＡＭＰ…ソースアンプ、ＤＡＣ…デジタルアナログ変換器、３０…基準電圧生成回路、３２…電源端子、３４…接地端子、４０…コモン電極ドライバ、４２…センターレベル生成回路、４３…バッファアンプ、ＳＥＬＣ…センターレベル設定用セレクタ、４４…振幅生成回路、ＳＥＬＡ…振幅設定用セレクタ、４６…バッファアンプ、４８…ドライバ、５０…コンパレータ、５２…ロジック回路、６０…レギュレータ、６２…演算増幅器、Ｒｒｅｆ１…第１基準抵抗、Ｒｒｅｆ２…第２基準抵抗、Ｃ１０…カップリングキャパシタ、１００…液晶ドライバ、１１０…ゲートドライバ、１２０…液晶パネル、１３０…タイミングコントローラ、２００…液晶ディスプレイ。
【図１】
2009162935.tif 000003
【図２】
2009162935.tif 000004
【図３】
2009162935.tif 000005
【図４】
2009162935.tif 000006
【図５】
2009162935.tif 000007